(57)【要約】【課題】揺れ方向が複合的な地震等に対して、取り付け状態を維持し、物品の転倒を防止することができる転倒防止装置を構成する連結部材を提供する。【解決手段】連結部材５０は一対のダンパ１０を連結する。この連結部材５０によって連結された一対のダンパ１０を床面Ｂ上に設置された家具Ｆの上面と天井Ｃとの間に取り付けると、水平面に沿って一方向から見た正面視において、各ダンパ１０の下端部の間隔よりも上端部の間隔が狭くなるように各ダンパ１０が傾斜し、かつ正面視から水平面上で９０°異なる方向から見た側面視において、一方のダンパ１０が上端から下端に向けて右方向に傾斜し、他方のダンパ１０が上端から下端に向けて左方向に傾斜した状態になる。【選択図】図１
2017169854.tif 000002
【特許請求の範囲】
【請求項１】
設置面上に設置された物品の上面と天井との間に取り付けられた一対のダンパを水平面に沿って一方向から見た正面視において、各前記ダンパの下端部の間隔よりも上端部の間隔が狭くなるように各前記ダンパが傾斜し、かつ前記正面視から水平面上で９０°異なる方向から見た側面視において、一方の前記ダンパが上端から下端に向けて右方向に傾斜し、他方の前記ダンパが上端から下端に向けて左方向に傾斜した状態に前記一対のダンパを連結することを特徴とする連結部材。
【請求項２】
各前記ダンパは、シリンダと、前記シリンダから先端側が突出し、突出長さが変化するロッドを有しており、
各前記シリンダに取り付けられる取付部と、
一方の前記シリンダに取り付けられた前記取付部と他方の前記シリンダに取り付けられた前記取付部とを連結する連結部本体と、
を備えていることを特徴とする請求項１記載の連結部材。
【請求項３】
前記取付部は、各前記シリンダの前記ロッドが突出している側に取り付けられる第１取付部と、各前記シリンダの底部側に取り付けられる第２取付部とを有しており、
前記連結部本体は、一方の前記シリンダに取り付けられた前記第１取付部と他方の前記シリンダに取り付けられた前記第２取付部とを連結する第１連結部本体と、一方の前記シリンダに取り付けられた前記第２取付部と他方の前記シリンダに取り付けられた前記第１取付部とを連結する第２連結部本体とを有していることを特徴とする請求項２記載の連結部材。
【請求項４】
一対のダンパが請求項１乃至３のいずれか１項記載の連結部材によって連結されていることを特徴とする転倒防止装置。
【発明の詳細な説明】
【技術分野】
【０００１】
本発明は連結部材及び転倒防止装置に関するものである。
【背景技術】
【０００２】
特許文献１は従来の転倒防止装置を開示している。この転倒防止装置はダンパと一対のベース部とを備えている。ダンパは床面上に設置された家具の上面と天井との間に取り付けられている。一対のベース部はダンパの両端部の夫々を回動軸周りに回動自在に軸支している。一方のベース部は家具の上面に当接し、他方のベース部は天井に当接している。このため、この転倒防止装置は、地震等の揺れによってダンパの回動方向と平行な方向に家具が傾いた場合、各ベース部に対してダンパが回動軸周りに回動し、各ベース部が家具の上面と天井とに当接した状態を維持することができる。よって、この転倒防止装置は、ダンパの減衰力を家具に作用させることができ、家具の傾きを抑制して家具の転倒を防止することができる。
【先行技術文献】
【特許文献】
【０００３】
【特許文献１】特開２０１５−６３３０号公報
【発明の概要】
【発明が解決しようとする課題】
【０００４】
しかし、特許文献１の転倒防止装置は、ダンパの減衰力を家具に良好に作用させることができるのは、ダンパの回動方向と平行な方向に家具が傾いた場合である。つまり、この転倒防止装置は、ダンパの回動方向と交差する方向の揺れに対して、その方向の家具の傾きをダンパの減衰力で抑制することができず、家具の上面又は天井からベース部が外れてしまうおそれがある。この転倒防止装置は、ベース部が家具の上面又は天井から外れて取り付け状態を維持することができないと、家具の転倒を防止することができない。
【０００５】
本発明は、上記従来の実情に鑑みてなされたものであって、揺れ方向が複合的な地震等に対して、取り付け状態を維持し、物品の転倒を防止することができる転倒防止装置を構成する連結部材と、その転倒防止装置を提供することを解決すべき課題としている。
【課題を解決するための手段】
【０００６】
本発明の連結部材は一対のダンパを連結する。この連結部材によって連結された一対のダンパを設置面上に設置された物品の上面と天井との間に取り付けると、水平面に沿って一方向から見た正面視において、各ダンパの下端部の間隔よりも上端部の間隔が狭くなるように各ダンパが傾斜し、かつ正面視から水平面上で９０°異なる方向から見た側面視において、一方のダンパが上端から下端に向けて右方向に傾斜し、他方のダンパが上端から下端に向けて左方向に傾斜した状態になる。
【０００７】
この連結部材によって連結された一対のダンパを物品の上面と天井との間に取り付けると、正面視において、各ダンパの下端部の間隔よりも上端部の間隔が狭くなるように各ダンパが傾斜する。つまり、正面視において、左側に位置するダンパが上端から下端に向けて左方向に傾斜し、右側に位置するダンパが上端から下端に向けて右方向に傾斜する。このため、正面視における左右方向の物品の傾きに対して、各ダンパの減衰力を作用させて物品の正面視における左右方向の傾きを抑制することができる。さらに、これらダンパは、側面視において、一方のダンパが上端から下端に向けて右方向に傾斜し、他方のダンパが上端から下端に向けて左方向に傾斜する。このため、側面視における左右方向の物品の傾きに対しても、各ダンパの減衰力を作用させて物品の側面視における左右方向の傾きを抑制することができる。つまり、この連結部材によって連結された一対のダンパを物品の上面と天井との間に取り付けると、物品の複数方向の傾きを抑制し、ダンパの取り付け状態を維持することができる。
【０００８】
したがって、本発明の連結部材は、一対のダンパを連結して物品の上面と天井との間に取り付けると、揺れ方向が複合的な地震等に対して、取り付け状態を維持し、物品の転倒を防止する転倒防止装置を構成することができる。
【０００９】
本発明の連結部材は取付部と連結部本体とを備え得る。各ダンパは、シリンダと、シリンダから先端側が突出し、突出長さが変化するロッドを有している。取付部は各シリンダに取り付けられる。連結部本体は、一方のシリンダに取り付けられた取付部と他方のシリンダに取り付けられた取付部とを連結する。この場合、連結部材は、一対のダンパを各ダンパのシリンダで連結するため、各ダンパが伸縮動作をする際、連結部材がロッドの動きの邪魔にならず、各ダンパが良好に伸縮動作することができる。
【００１０】
本発明の取付部は第１取付部と第２取付部とを有し得る。第１取付部は各シリンダのロッドが突出している側に取り付けられる。第２取付部は各シリンダの底部側に取り付けられる。また、本発明の連結部本体は第１連結部本体と第２連結部本体とを有し得る。第１連結部本体は一方のシリンダに取り付けられた第１取付部と他方のシリンダに取り付けられた第２取付部とを連結する。第２連結部本体は一方のシリンダに取り付けられた第２取付部と他方のシリンダに取り付けられた第１取付部とを連結する。この場合、連結部材は一対のシリンダを所定の傾斜方向に傾斜させた状態に確実に連結することができる。
【００１１】
本発明の転倒防止装置は一対のダンパが連結部材によって連結されている。この場合、この転倒防止装置は、連結部材を利用して一対のシリンダを所定の傾斜方向に傾斜させた状態に容易に連結し、物品の上面と天井との間に取り付けることができる。このため、この転倒防止装置は、揺れ方向が複合的な地震等に対して、取り付け状態を維持し、物品の転倒を防止することができる。
【００１２】
ここで、物品は、家具、書棚、冷蔵庫、ショーケース、サーバーラック、複数の寝台を上下方向に連結したベッド、大型テレビ等、地震等の揺れによって転倒するおそれのあるものが含まれる。
【図面の簡単な説明】
【００１３】
【図１】実施形態１の転倒防止装置を家具の上面と天井との間に取り付けた状態を示す正面図である。
【図２】実施形態１の転倒防止装置を家具の上面と天井との間に取り付けた状態を拡大した正面図である。
【図３】実施形態１の転倒防止装置を家具の上面と天井との間に取り付けた状態を示す側面図である。
【図４】実施形態１の転倒防止装置を家具の上面と天井との間に取り付けた状態を拡大した側面図である。
【図５】実施形態１及びの転倒防止装置のダンパとベース部とを示す部分断面図である。
【図６】実施形態２の転倒防止装置を家具の上面と天井との間に取り付けた状態を拡大した正面図である。
【発明を実施するための形態】
【００１４】
本発明の連結部材を利用して構成された転倒防止装置を具体化した実施形態１及び２について、図面を参照しつつ説明する。
【００１５】
＜実施形態１＞
実施形態１の転倒防止装置は、図１〜図４に示すように、家具Ｆの上面と天井Ｃとの間に取り付けられる。家具Ｆは床面Ｂ上に設置されている。また、この家具Ｆは、直方体形状であり、前後面（図３における左右側面）に図示しない扉や引き出し等を有し、内部に食器等を収納することができる。また、この家具Ｆは、水平断面形状が左右方向（図１において左右方向）に長い長方形状である。この家具Ｆは、転倒防止装置が取り付けられていない場合、地震等の揺れによって、前後方向（図３において左右方向）に傾いて転倒するおそれがある。
【００１６】
この転倒防止装置は、一対のダンパ１０、２個の第１ベース部３０Ａ、２個の第２ベース部３０Ｂ、及び連結部材５０を備えている。
各ダンパ１０は、シリンダ１１、図示しないロッドガイド、図示しないピストン、ロッド１３、及び両端に設けられた一対のジョイント部１５を有している。各ダンパ１０は、同一形態であり、同一性能である。シリンダ１１は有底の円筒状である。ロッドガイドはシリンダ１１の開口部を封鎖している。ピストンはシリンダ１１内に摺動自在に挿入されている。ロッド１３は基端部がピストンに連結されている。また、ロッド１３はロッドガイドを挿通して先端側がシリンダ１１の外部へ突出している。さらに、ロッド１３はシリンダ１１から突出する先端側の突出長さが変化する。シリンダ１１は作動油及び圧縮ガスを封入している。
【００１７】
各ジョイント部１５は平板状の金具を折り曲げて形成されている。また、各ジョイント部１５はシリンダ１１の底部とロッド１３の先端部に接続されている。つまり、各ジョイント部１５はダンパ１０の両端部に接続されている。各ジョイント部１５は、図５に示すように、連結孔１５Ａが形成されている。連結孔１５Ａは、ダンパ１０の伸縮方向に伸びた軸線に直交する方向に貫通しており、円形状である。連結孔１５Ａの内周面はジョイント部１５の厚み方向の中央部が連結孔１５Ａの中心方向に突出するように膨らんだ湾曲面で形成されている。連結孔１５Ａの内径は後述するボルト３５Ａの軸部３６Ｂの外径よりも大きい。
【００１８】
ダンパ１０は伸長動作時に発生する減衰力が収縮動作時に発生する減衰力よりも小さい圧効きダンパである。ここで、ダンパ１０の伸長動作とは、シリンダ１１からロッド１３の突出長さ及びダンパ１０の長さが長くなっていく動作を意味する。また、ダンパ１０の収縮動作とは、シリンダ１１からロッド１３の突出長さ及びダンパ１０の長さが短くなっていく動作を意味する。また、ダンパ１０はシリンダ１１に封入した圧縮ガスの膨張力が伸長方向に働いている。
【００１９】
ダンパ１０の減衰力が発生するメカニズムは、周知の構造であるため、図示を省略して説明する。シリンダ１１は、内部がピストンによって、ロッド１３の基端部が収納されているロッド側圧力室と、反ロッド側圧力室とに仕切られている。ピストンは両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンは逆止弁を介して両圧力室間を連通する連通路が形成されている。逆止弁は、ロッド側圧力室から反ロッド側圧力室への作動油の流れを許容し、その逆の流れを阻止する。このため、ダンパ１０は、伸長動作時、ロッド側圧力室から反ロッド側圧力室への作動油の流路経路が、オリフィスと連通路の経路になる。一方、ダンパ１０は、収縮動作時、反ロッド側圧力室からロッド側圧力室への作動油の流路経路がオリフィスのみとなる。このため、ダンパ１０は伸長動作時に発生する減衰力が収縮動作時に発生する減衰力よりも小さくなる。
【００２０】
第１ベース部３０Ａと第２ベース部３０Ｂは、図１〜図４に示すように、各ダンパ１０の両端部の夫々を揺動自在に連結している。第１ベース部３０Ａは各ダンパ１０のシリンダ１１の底部に接続されたジョイント部１５を連結している。第２ベース部３０Ｂは各ダンパ１０のロッド１３の先端部に接続されたジョイント部１５を連結している。第１ベース部３０Ａは家具Ｆの上面に当接して載置され、第２ベース部３０Ｂは天井Ｃに当接されている。つまり、この転倒防止装置は、家具Ｆの上面と天井Ｃとの間に取り付けられた状態で、各ロッド１３の先端側が各シリンダ１１から上方に突出している。
【００２１】
第１ベース部３０Ａ及び第２ベース部３０Ｂは同じ形態及び構造である。各ベース部３０Ａ，３０Ｂは、図２及び図５に示すように、ベース部本体３１、滑り止め部３３、及び軸部材３５であるボルト３５Ａとナット３５Ｂとを有している。
【００２２】
家具Ｆの上面に当接して載置された状態で第１ベース部３０Ａを上方から見た平面視において、ベース部本体３１は長方形状の外形である（以下、この平面視におけるベース部本体３１の外形において長辺が延びている方向を「長辺方向」と言い、短辺が延びている方向を「短辺方向」と言う。）。また、家具Ｆの上面に当接して載置された状態で第１ベース部３０Ａを短辺方向に見た側面視において、ベース部本体３１は、下端縁が家具Ｆの上面に平行に直線状に伸びており、上端縁が下端縁の両側から上方に膨らんだ円弧状の外形である（図３及び図４参照）。また、家具Ｆの上面に当接して載置された状態で第１ベース部３０Ａを長辺方向に見た側面視において、ベース部本体３１は下端縁よりも上端縁が短い略台形状の外形である（図１、図２、及び図５参照）。
【００２３】
家具Ｆの上面に当接して載置された状態の第１ベース部３０Ａにおいて、図５に示すように、ベース部本体３１は上面に長辺方向（図３及び図４における左右方向であり、図１，図２及び図５における奥行き方向）に伸びた溝部３７が形成されている。家具Ｆの上面に当接して載置された状態で第１ベース部３０Ａを長辺方向に見た側面視において、溝部３７は左右中央に形成されている。溝部３７は、底面３７Ａが水平面上に広がり、内壁面３７Ｂが底面３７Ａの両側に略鉛直方向に立ち上がっている。溝部３７の底面３７Ａはベース部本体３１の上下方向の略中央に伸びている。溝部３７の両側に立ち上がった内壁面３７Ｂの夫々は、長辺方向の中央部に後述するボルト３５Ａの軸部３６Ｂが挿通する挿通孔３８が短辺方向に貫通している。
【００２４】
家具Ｆの上面に当接して載置された状態の第１ベース部３０Ａにおいて、ベース部本体３１は、図３〜図５に示すように、長辺方向の中央部であって、溝部３７の両側に窪み部３９が形成されている。これら窪み部３９は上方向と短辺方向の外方向に開口している。また、これら窪み部３９は挿通孔３８が開口している。また、この窪み部３９は、一方が後述するボルト３５Ａの頭部３６Ａを収納し、他方がこのボルト３５Ａの軸部３６Ｂの先端部にねじ込まれたナット３５Ｂを収納している。また、この窪み部３９は、ボルト３５Ａの頭部３６Ａとナット３５Ｂに上方から工具が嵌合することができるように、長辺方向において上方に広がるように形成されている。
【００２５】
ベース部本体３１は、図５に示すように、空洞である。また、このベース部本体３１は、家具Ｆの上面に当接して載置された状態の第１ベース部３０Ａにおいて、下方に開口している。このベース部本体３１は、内部に短辺方向に平行に伸びた複数条のリブと、長辺方向に平行に伸びた２条のリブＲとが交差して形成されている。
【００２６】
滑り止め部３３は、図１〜図５に示すように、外形がベース部本体３１の外形より僅かに大きい相似形（長方形状）である。滑り止め部３３は弾性体である。また、滑り止め部３３は、家具Ｆの上面に当接して載置された状態の第１ベース部３０Ａにおいて、ベース部本体３１の下端開口に嵌合される。また、滑り止め部３３は略平板である。詳しくは、滑り止め部３３は、図５に示すように、家具Ｆの上面又は天井Ｃに当接する面が平坦であり、その反対側を向いた面（ベース部本体３１に対向する面）は、ベース部本体３１の外周壁及びリブＲに合わせた嵌合溝が形成されている。滑り止め部３３はその弾性力によってベース部本体３１に着脱自在に取り付けられている。
【００２７】
軸部材３５は、図２及び図５に示すように、ボルト３５Ａとナット３５Ｂとから構成されている。ボルト３５Ａは、ベース部本体３１の挿通孔３８の一方から軸部３６Ｂを挿入し、軸部３６Ｂの先端部が他方から突出している。ナット３５Ｂは、ボルト３５Ａの軸部３６Ｂの先端部にねじ込まれている。また、軸部材３５であるボルト３５Ａの軸部３６Ｂがダンパ１０のジョイント部１５の連結孔１５Ａを挿通している。ボルト３５Ａの軸部３６Ｂは外形が円柱形状である。つまり、軸部材３５は連結孔１５Ａに挿通した部分が円柱形状の外形である。前述したように、ボルト３５Ａの軸部３６Ｂの外径よりも連結孔１５Ａの内径が大きいため、図５に示すように、連結孔１５Ａとボルト３５Ａの軸部３６Ｂとの間に隙間Ｓが存在する。この転倒防止装置は、この隙間Ｓを利用して、各ダンパ１０がボルト３５Ａの中心軸方向にも揺動することができる。つまり、この転倒防止装置は、各第１ベース部３０Ａ及び各第２ベース部３０Ｂが各ダンパ１０の両端部の夫々を多方向に揺動自在に連結している。
【００２８】
連結部材５０は、図１〜図４に示すように、取付部である２個の第１取付部５１Ａと２個の第２取付部５２Ｂ、連結部本体である第１連結部本体５３Ａと第２連結部本体５３Ｂ、及び１本の回動ピン５５を備えている。各連結部本体５３Ａ，５３Ｂは一直線上に延びた円柱形状の棒材である。各連結部本体５３Ａ，５３Ｂは同じ長さである。各連結部本体５３Ａ，５３Ｂは中心軸方向の中心から離れた位置に中心軸に直交する貫通孔が設けられている。つまり、各連結部本体５３Ａ，５３Ｂは、貫通孔から一方の端部まで延びた第１連結部５７Ａの長さより、他方の端部まで延びた第２連結部５７Ｂの長さの方が長い。各連結部本体５３Ａ，５３Ｂは夫々の貫通孔を挿通する一本の回動ピン５５によって回動自在に連結されている。
【００２９】
各連結部本体５３Ａ，５３Ｂは両端部に第１取付部５１Ａと第２取付部５１Ｂを固定している。各取付部５１Ａ，５１Ｂは円筒形状である。各取付部５１Ａ，５１Ｂは内径が各ダンパ１０のシリンダ１１の外径よりも僅かに大きい。各連結部本体５３Ａ，５３Ｂは、交差した状態で、両端部に固定された各取付部５１Ａ，５１Ｂを各ダンパ１０のシリンダ１１に挿通して固定する。これによって、連結部材５０は一対のダンパ１０を連結している。
【００３０】
詳しくは、各連結部本体５３Ａ，５３Ｂは、第２連結部５７Ｂよりも短い第１連結部５７Ａの端部に固定された第１取付部５１Ａをシリンダ１１のロッド１３が突出している側に固定し、第１連結部５７Ａよりも長い第２連結部５７Ｂの端部に固定された第２取付部５１Ｂをシリンダ１１の底部側に固定している。このため、一対のダンパ１０をこの連結部材５０で連結した転倒防止装置は、図１及び図２に示すように、家具Ｆの上面と天井Ｃとの間に取り付けられると、一対のダンパ１０を左右に見た正面視において、各ダンパ１０の下端部の間隔よりも上端部の間隔が狭くなるように各ダンパ１０が傾斜した状態になる。
【００３１】
また、各連結部本体５３Ａ，５３Ｂの両端（第１連結部５７Ａの端部及び第２連結部５７Ｂの端部）に取り付けられた第１取付部５１Ａ及び第２取付部５１Ｂは、図３及び図４に示すように、正面視から水平面上で９０°異なる方向から見た側面視において、夫々の中心軸が交差した状態に固定されている。このため、一対のダンパ１０をこの連結部材５０で連結した転倒防止装置は、家具Ｆの上面と天井Ｃとの間に取り付けると、側面視において、一方のダンパ１０が上端から下端に向けて右方向に傾斜し、他方のダンパ１０が上端から下端に向けて左方向に傾斜した状態になる。
【００３２】
次に、床面Ｂ上に載置された家具Ｆの上面と天井Ｃとの間にこの転倒防止装置を取り付ける際の取付方法について説明する。
【００３３】
まず、図１及び図２に示すように、２個の第１ベース部３０Ａの夫々を家具Ｆの上面の左右両端部に載置する。家具Ｆの上面の左右両端部は長方形状である家具Ｆの上面の長辺方向の両端部である。この際、各第１ベース部３０Ａは家具Ｆの上面の左右側縁に対して長辺方向が平行になるように載置する。また、家具Ｆの上面の左端部に載置された第１ベース部３０Ａと家具Ｆの上面の右端部に載置された第１ベース部３０Ａとは、図３及び図４に示すように、前後方向にずれて載置される。前後方向は長方形状である家具Ｆの上面の短辺方向である。
【００３４】
そして、各シリンダ１１に封入した圧縮ガスの膨張力によって各ダンパ１０を伸長させて２個の第２ベース部３０Ｂを天井Ｃに当接させる。この際、各第２ベース部３０Ｂの長辺方向は各第１ベース部３０Ａの長辺方向と平行になるように当接させる。また、各ダンパ１０は、連結部材５０によって連結されているため、図１及び図２に示すように、家具Ｆの上面の短辺方向に見た正面視おいて、各ダンパ１０の下端部よりも上端部の間隔が狭く取り付けられる。また、各ダンパ１０は、図３及び図４に示すように、家具Ｆの上面の長辺方向に見た側面視において、一方のダンパ１０が上端から下端に向けて右方向に傾斜し、他方のダンパ１０が上端から下端に向けて左方向に傾斜した状態に取り付けられる。
【００３５】
この転倒防止装置は、各第１ベース部３０Ａ及び各第２ベース部３０Ｂが各ダンパ１０の両端部の夫々を多方向に揺動自在に連結しているため、このように各ダンパ１０を傾斜させた状態で家具Ｆの上面と天井Ｃとの間に取り付けることができる。このため、この転倒防止装置は、家具Ｆの前後左右方向の傾きに対して、各ダンパ１０の減衰力を作用させて家具Ｆの傾きを抑制することができる。よって、この転倒防止装置は、家具Ｆの上面又は天井Ｃから各ベース部３０Ａ，３０Ｂが外れ難く、ダンパ１０の減衰力を家具Ｆに作用させることができ、家具Ｆの転倒を防止することができる。
【００３６】
このように、実施形態１の転倒防止装置を構成する連結部材５０は、一対のダンパ１０を連結する。この連結部材５０によって連結された一対のダンパ１０を床面Ｂ上に設置された家具Ｆの上面と天井Ｃとの間に取り付けると、水平面に沿って一方向から見た正面視（家具Ｆの上面の短辺方向に見た正面視）において、各ダンパ１０の下端部の間隔よりも上端部の間隔が狭くなるように各ダンパ１０が傾斜し、かつ正面視から水平面上で９０°異なる方向から見た側面視（家具Ｆの上面の長辺方向に見た側面視）において、一方のダンパ１０が上端から下端に向けて右方向に傾斜し、他方のダンパ１０が上端から下端に向けて左方向に傾斜した状態になる。
【００３７】
この連結部材５０によって連結された一対のダンパ１０を家具Ｆの上面と天井Ｃとの間に取り付けると、正面視において、各ダンパ１０の下端部の間隔よりも上端部の間隔が狭くなるように各ダンパ１０が傾斜する。つまり、正面視において、左側に位置するダンパ１０が上端から下端に向けて左方向に傾斜し、右側に位置するダンパ１０が上端から下端に向けて右方向に傾斜する。このため、正面視における左右方向の家具Ｆの傾きに対して、各ダンパ１０の減衰力を作用させて家具Ｆの正面視における左右方向の傾きを抑制することができる。さらに、これらダンパ１０は、側面視において、一方のダンパ１０が上端から下端に向けて右方向に傾斜し、他方のダンパ１０が上端から下端に向けて左方向に傾斜する。このため、側面視における左右方向の家具Ｆの傾きに対しても、各ダンパ１０の減衰力を作用させて家具Ｆの側面視における左右方向の傾きを抑制することができる。つまり、この連結部材５０によって連結された一対のダンパ１０を家具Ｆの上面と天井Ｃとの間に取り付けると、家具Ｆの複数方向の傾きを抑制し、ダンパ１０の取り付け状態を維持することができる。
【００３８】
したがって、実施形態１の転倒防止装置を構成する連結部材５０は、一対のダンパ１０を連結して家具Ｆの上面と天井Ｃとの間に取り付けると、揺れ方向が複合的な地震等に対して、取り付け状態を維持し、家具Ｆの転倒を防止する転倒防止装置を構成することができる。
【００３９】
また、実施形態１の連結部材５０は、第１取付部５１Ａ、第２取付部５１Ｂ、第１連結部本体５３Ａ及び第２連結部本体５３Ｂを備えている。各ダンパ１０は、シリンダ１１と、シリンダ１１から先端側が突出し、突出長さが変化するロッド１３を有している。各取付部５１Ａ，５１Ｂは各シリンダ１１に取り付けられる。各連結部本体５３Ａ，５３Ｂは、一方のシリンダ１１に取り付けられた第１取付部５１Ａと他方のシリンダ１１に取り付けられた第２取付部５１Ｂとを連結し、一方のシリンダ１１に取り付けられた第２取付部５１Ｂと他方のシリンダ１１に取り付けられた第１取付部５１Ａとを連結する。このため、連結部材５０は、一対のダンパ１０を各ダンパ１０のシリンダ１１で連結するため、各ダンパ１０が伸縮動作をする際、連結部材５０がロッド１３の動きの邪魔にならず、各ダンパ１０が良好に伸縮動作することができる。
【００４０】
また、実施形態１の連結部材５０は、第１取付部５１Ａと第２取付部５１Ｂとを有している。第１取付部５１Ａは各シリンダ１１のロッド１３が突出している側に取り付けられる。第２取付部５１Ｂは各シリンダ１１の底部側に取り付けられる。また、実施形態１の連結部材５０は第１連結部本体５３Ａと第２連結部本体５３Ｂとを有している。第１連結部本体５３Ａは一方のシリンダ１１に取り付けられた第１取付部５１Ａと他方のシリンダ１１に取り付けられた第２取付部５１Ｂとを連結する。第２連結部本体５３Ｂは一方のシリンダ１１に取り付けられた第２取付部５１Ｂと他方のシリンダ１１に取り付けられた第１取付部５１Ａとを連結する。このため、連結部材５０は一対のシリンダ１１を所定の傾斜方向に傾斜させた状態に確実に連結することができる。
【００４１】
また、実施形態１の転倒防止装置は一対のダンパ１０が連結部材５０によって連結されている。このため、この転倒防止装置は、連結部材５０を利用して一対のシリンダ１１を所定の傾斜方向に傾斜させた状態に容易に連結し、家具Ｆの上面と天井Ｃとの間に取り付けることができる。このため、この転倒防止装置は、揺れ方向が複合的な地震等に対して、取り付け状態を維持し、家具Ｆの転倒を防止することができる。
【００４２】
＜実施形態２＞
実施形態２の転倒防止装置は連結部材１５０の形態が実施形態１と相違する。他の構成は実施形態１と同様であり、同一の構成は同一の符号を付して詳細な説明を省略する。
【００４３】
実施形態２の連結部材１５０は、図６に示すように、２個の取付部１５１、一本の連結部本体１５３を備えている。連結部本体１５３は一直線上に伸びた円柱形状の棒材である。連結部本体１５３は両端に取付部１５１を固定している。各取付部１５１は円筒形状である。各取付部１５１は内径が各ダンパ１０のシリンダ１１の外径よりも僅かに大きい。連結部本体１５３は、両端部に固定された各取付部１５１を各ダンパ１０のシリンダ１１に挿通して各シリンダ１１の中央部に固定し、一対のダンパ１０を連結している。
【００４４】
詳しくは、連結部本体１５３は、転倒防止装置を家具Ｆの上面と天井Ｃとの間に取り付けた状態であって一対のダンパ１０を左右に見た正面視において、両端に固定された各取付部１５１の上端部同士の間隔が下端部同士の間隔よりも狭い。このため、一対のダンパ１０をこの連結部材１５０で連結した転倒防止装置は、家具Ｆの上面と天井Ｃとの間に取り付けられると、正面視において、各ダンパ１０の下端部の間隔よりも上端部の間隔が狭くなるように各ダンパ１０が傾斜した状態になる。
【００４５】
また、この連結部本体１５３の両端に取り付けられた２個の取付部１５１は、正面視から水平面上で９０°異なる方向から見た側面視において、夫々の中心軸が交差した状態に固定されている。このため、一対のダンパ１０をこの連結部材１５０で連結した転倒防止装置は、家具Ｆの上面と天井Ｃとの間に取り付けると、側面視において、一方のダンパ１０が上端から下端に向けて右方向に傾斜し、他方のダンパ１０が上端から下端に向けて左方向に傾斜した状態になる。
【００４６】
このように、実施形態２の転倒防止装置を構成する連結部材１５０は、一対のダンパ１０を連結する。この連結部材１５０によって連結された一対のダンパ１０を床面Ｂ上に設置された家具Ｆの上面と天井Ｃとの間に取り付けると、水平面に沿って一方向から見た正面視（家具Ｆの上面の短辺方向に見た正面視）において、各ダンパ１０の下端部の間隔よりも上端部の間隔が狭くなるように各ダンパ１０が傾斜し、かつ正面視から水平面上で９０°異なる方向から見た側面視（家具Ｆの上面の長辺方向に見た側面視）において、一方のダンパ１０が上端から下端に向けて右方向に傾斜し、他方のダンパ１０が上端から下端に向けて左方向に傾斜した状態になる。
【００４７】
この連結部材１５０によって連結された一対のダンパ１０を家具Ｆの上面と天井Ｃとの間に取り付けると、正面視において、各ダンパ１０の下端部の間隔よりも上端部の間隔が狭くなるように各ダンパ１０が傾斜する。つまり、正面視において、左側に位置するダンパ１０が上端から下端に向けて左方向に傾斜し、右側に位置するダンパ１０が上端から下端に向けて右方向に傾斜する。このため、正面視における左右方向の家具Ｆの傾きに対して、各ダンパ１０の減衰力を作用させて家具Ｆの正面視における左右方向の傾きを抑制することができる。さらに、これらダンパ１０は、側面視において、一方のダンパ１０が上端から下端に向けて右方向に傾斜し、他方のダンパ１０が上端から下端に向けて左方向に傾斜する。このため、側面視における左右方向の家具Ｆの傾きに対しても、各ダンパ１０の減衰力を作用させて家具Ｆの側面視における左右方向の傾きを抑制することができる。つまり、この連結部材１５０によって連結された一対のダンパ１０を家具Ｆの上面と天井Ｃとの間に取り付けると、家具Ｆの複数方向の傾きを抑制し、ダンパ１０の取り付け状態を維持することができる。
【００４８】
したがって、実施形態２の転倒防止装置を構成する連結部材１５０は、一対のダンパ１０を連結して家具Ｆの上面と天井Ｃとの間に取り付けると、揺れ方向が複合的な地震等に対して、取り付け状態を維持し、家具Ｆの転倒を防止する転倒防止装置を構成することができる。
【００４９】
また、実施形態２の連結部材１５０は取付部１５１と連結部本体１５３とを備えている。各ダンパ１０は、シリンダ１１と、シリンダ１１から先端側が突出し、突出長さが変化するロッド１３を有している。取付部１５１は各シリンダ１１に取り付けられる。連結部本体１５３は、一方のシリンダ１１に取り付けられた取付部１５１と他方のシリンダ１１に取り付けられた取付部１５１とを連結する。このため、連結部材１５０は、一対のダンパ１０を各ダンパ１０のシリンダ１１で連結するため、各ダンパ１０が伸縮動作をする際、連結部材１５０がロッド１３の動きの邪魔にならず、各ダンパ１０が良好に伸縮動作することができる。
【００５０】
また、実施形態２の転倒防止装置は一対のダンパ１０が連結部材１５０によって連結されている。このため、この転倒防止装置は、連結部材１５０を利用して一対のシリンダ１１を所定の傾斜方向に傾斜させた状態に容易に連結することができる。また、この転倒防止装置は、家具Ｆの上面と天井Ｃとの間に取り付けると、揺れ方向が複合的な地震等に対して、取り付け状態を維持し、家具Ｆの転倒を防止することができる。
【００５１】
本発明は上記記述及び図面によって説明した実施形態１及び２に限定されるものではなく、例えば次のような実施形態も本発明の技術的範囲に含まれる。
（１）実施形態１及び２では、転倒防止装置を家具に対して取り付けたが、地震等の揺れによって転倒するおそれのある、書棚、冷蔵庫等の物品に対して取り付けてもよい。
（２）実施形態１及び２では、床面上に載置された状態において前後方向に空間がある家具に対して転倒防止装置を取り付けたが、壁面に背面を対向させて床面上に載置された家具等に取り付けてもよい。
（３）実施形態１及び２では、連結部材の連結部本体が円柱形状の棒材であったが、両端に取付部を設けることができれば、連結部本体が他の形態であってもよい。
（４）実施形態１では、各シリンダに対して２個の取付部が固定されたが、１個のシリンダに対して、軸線方向に長い１個の取付部を固定するようにしてもよい。この場合、２本の連結部本体の同じ側の端部に一個の取付部が固定される。
【符号の説明】
【００５２】
１０…ダンパ、１１…シリンダ、１３…ロッド、５０，１５０…連結部材、５１Ａ，５１Ｂ，１５１…取付部（５１Ａ…第１取付部、５１Ｂ…第２取付部）、５３Ａ，５３Ｂ，１５３…連結部本体（５３Ａ…第１連結部本体、５３Ｂ…第２連結部本体）、Ｂ…床面、Ｃ…天井、Ｆ…家具（物品）
【図１】
2017169854.tif 000003
【図２】
2017169854.tif 000004
【図３】
2017169854.tif 000005
【図４】
2017169854.tif 000006
【図５】
2017169854.tif 000007
【図６】
2017169854.tif 000008